(57)【特許請求の範囲】
【請求項１】
遊技媒体が流下可能な遊技領域が形成されると共に、遊技媒体の流下方向をランダムに変更可能な障害釘が複数打ち付けられた遊技盤と、
前記遊技盤から起立して前記遊技領域を包囲する包囲壁と、
前記包囲壁の左上部に形成されて、前記遊技領域内への遊技媒体の進入を許容する進入口と、
前記包囲壁のうち前記進入口より上方部分で構成され、前記進入口から前記遊技領域内に進入した遊技媒体を右斜め上方に案内するための円弧状案内部と、
前記遊技盤の所定の位置に前方側から視認可能に配置される遊技装置と、
前記遊技盤から突出して、前記遊技領域を流下する遊技媒体が前記遊技装置側へ進入することを規制する進入規制枠と、
前記進入規制枠の左上部に形成されて、前記円弧状案内部側から流下してきた遊技媒体を受け止めて下方に案内可能な流下案内壁と、
前記流下案内壁から前記円弧状案内部側へ向かって張り出し且つ前記遊技盤の前面に敷設された樹脂製のベース板と、
前記ベース板から突出し、遊技媒体と衝突してその遊技媒体の流下方向を変更可能な樹脂突部と、を備えて、
前記遊技領域における前記円弧状案内部と前記流下案内壁とに挟まれた前記ベース板のうち前記樹脂突部を除く部分に、前記障害釘を有さずに遊技媒体が流下可能な釘無し領域が形成され、
前記流下案内壁に、縦方向に延びて前記進入口と対向する縦壁と、前記縦壁の下端から左側へ下るように延びた横壁と、を備えると共に、
複数の前記樹脂突部として、前記進入口側から順に横並びに配置された第１突部と第２突部のみを備えて、前記第１突部と前記第２突部との間、前記第１突部と前記進入口との間、前記第２突部と前記縦壁との間、前記第１突部と前記横壁との間、前記第２突部と前記横壁との間に、遊技媒体が流下可能な突部間流路、第１流路、第２流路、第３流路、第４流路をそれぞれ形成し、
前記第３流路の最小の間隔、及び、前記第４流路の最小の間隔を、それぞれ、遊技媒体２個分以上、３個分未満にしたことを特徴とする遊技機。
【請求項２】
前記横壁の中間部には、前記縦壁に近い側が上方に配置されるように段差部が設けられ、
前記第２突部は、前記横壁のうち前記段差部より前記縦壁側の上段部と対向して前記第４流路を形成し、前記第１突部は、前記横壁のうち前記段差部より前記縦壁から離れた側の下段部と対向して前記第３流路を形成することを特徴とする請求項１に記載の遊技機。
【請求項３】
前記段差部の高さを前記横壁の厚さ分として、前記上段部の下面と前記下段部の上面とを略面一にしたことを特徴とする請求項２に記載の遊技機。
【請求項４】
前記第１突部には、前記円弧状案内部に最も接近する第１頂部が設けられ、
前記第１頂部と前記円弧状案内部との間の間隔を、遊技媒体１個分以上、２個分未満としたことを特徴とする請求項１乃至３のうち何れか１の請求項に記載の遊技機。
【請求項５】
前記第２突部には、
前記円弧状案内部に最も接近すると共に、前記円弧状案内部との間の間隔が前記第１頂部と前記円弧状案内部との間の間隔より広くなった第２頂部と、
前記第２頂部から前記縦壁へ近づくにつれて下るように傾斜して前記円弧状案内部との間隔を広くする拡張傾斜面と、が設けられたことを特徴とする請求項４に記載の遊技機。
【請求項６】
前記突部間流路には、下流側へ向かうにつれて流路幅が狭くなる突部間絞り部が設けられ、
前記突部間絞り部の下流側端部の流路幅を遊技媒体１個分以上、２個分未満としたことを特徴とする請求項１乃至５のうち何れか１の請求項に記載の遊技機。
【請求項７】
前記突部間絞り部は、前記突部間流路のうち流下方向の中間位置より上流側に配置され、
前記突部間流路のうち前記突部間絞り部より下流側の部分を、下流側へ向かうにつれて流路幅が広くなる突部間逃がし部としたことを特徴とする請求項６に記載の遊技機。
【請求項８】
前記第１突部の前記第２突部との対向面を、下方へ向かうにつれて前記第２突部側へ近づくように傾斜した第１傾斜対向面で構成すると共に、
前記第２突部の前記第１突部との対向面を、下方へ向かうにつれて前記第１突部側へ近づくように傾斜した第２上側傾斜対向面と、前記第２上側傾斜対向面の下端から下方へ向かうにつれて前記第１突部から離れるように傾斜した第２下側傾斜対向面とで構成し、
前記第１傾斜対向面と前記第２上側傾斜対向面との間に挟まれた領域に前記突部間絞り部を形成すると共に、前記第１傾斜対向面と前記第２下側傾斜対向面との間に挟まれた領域に前記突部間逃がし部を形成したことを特徴とする請求項７に記載の遊技機。
【請求項９】
前記第２流路には、流下方向の下流側へ向かうにつれて流路幅が狭くなる第２絞り部が設けられ、
前記第２絞り部の下流側端部の流路幅を、遊技媒体１個分より大きく、２個分未満としたことを特徴とする請求項１乃至８のうち何れか１の請求項に記載の遊技機。
【請求項１０】
前記第２絞り部は、前記第２流路のうち流下方向の中間位置より上流側に配置され、
前記第２流路のうち前記第２絞り部より下流側の部分を、下流側へ向かうにつれて流路幅が広くなる第２逃がし部としたことを特徴とする請求項９に記載の遊技機。
【請求項１１】
前記第２突部の前記縦壁との対向面を、下方へ向かうにつれて前記縦壁へ近づくように傾斜した第２右上傾斜対向面と、前記第２右上傾斜対向面の下端に連絡し且つ下方へ向かうにつれて前記縦壁から離れるように傾斜した第２右下傾斜対向面とで構成し、
前記第２右上傾斜対向面と前記縦壁との間に挟まれた領域に前記第２絞り部が形成されると共に、前記第２右下傾斜対向面と前記縦壁との間に挟まれた領域に前記第２逃がし部が形成されたことを特徴とする請求項１０に記載の遊技機。
【請求項１２】
前記遊技装置は、前記遊技領域の横方向の中間且つ上端寄り部分に配置されると共に、
前記遊技領域に、前記包囲壁の左側部と前記進入規制枠とに挟まれた左側流下領域と、前記包囲壁の右側部と前記進入規制枠とに挟まれた右側流下領域と、が形成されて、前記円弧状案内部と前記流下案内壁とに挟まれた前記ベース板を配置する媒体導入領域が前記左側流下領域の上部に配置され、
前記進入規制枠の上部には、前記縦壁の上端部から右方に折れ曲がり、前記媒体導入領域と前記右側流下領域とを連絡する連絡流路を前記包囲壁との間に形成する連絡流路構成壁が設けられたことを特徴とする請求項１乃至１１のうち何れか１の請求項に記載の遊技機。
【請求項１３】
前記縦壁には、
左下がりに傾斜するように延びて、下端部が前記横壁に連絡した第１傾斜部と、
前記第１傾斜部の上端から左上がりに傾斜するように延びて、前記進入口から進入してきた遊技媒体を前記第１傾斜部側へ跳ね返し可能な第２傾斜部と、が設けられたことを特徴とする請求項１２に記載の遊技機。
【請求項１４】
前記第１突部及び前記第２突部は、前記ベース板に一体形成されていることを特徴とする請求項１乃至１３のうち何れか１の請求項に記載の遊技機。
【請求項１５】
前記第１突部、前記第２突部及び前記ベース板は、奥側を視認可能とする樹脂で構成されていることを特徴とする請求項１乃至１４のうち何れか１の請求項に記載の遊技機。
【発明の詳細な説明】
【技術分野】
【０００１】
本発明は、遊技盤の前面に遊技媒体が流下可能な遊技領域が形成されると共に、遊技領域の内側で遊技装置を視認可能にし、遊技媒体が遊技装置側に進入することを規制する進入規制枠が設けられた遊技機に関する。
【背景技術】
【０００２】
従来、この種の遊技機として、遊技媒体としての遊技球が遊技領域の左上部から右斜め上方に撃ち込まれ、進入規制枠の左上部に、遊技球を受け止めて下方に案内可能な流下案内壁が形成されたものが知られている。また、流下案内壁から上方に張り出した樹脂プレートから３つの樹脂突部を前方に突出させて、遊技球の流下方向を変更する障害釘の代替としたものも知られている（例えば、特許文献１参照）。
【先行技術文献】
【特許文献】
【０００３】
【特許文献１】特許公報第４４８５５１３号（図１）
【発明の概要】
【発明が解決しようとする課題】
【０００４】
ところで、近年、遊技機において、例えば、より大きな表示部などの遊技装置を設置するために遊技領域に制限がかかる虞がある。よって、限られた遊技領域のスペースの中で遊技装置を大きくすると、樹脂突部同士の間の間隔や樹脂突部と流下案内壁との間の間隔が狭くなり、球詰まりが起き易くなるという問題があった。
【０００５】
本発明は、上記事情に鑑みてなされたもので、遊技装置を大きくしつつ遊技媒体の詰まりを抑制することが可能な遊技機の提供を目的とする。
【課題を解決するための手段】
【０００６】
上記目的を達成するためになされた請求項１の発明に係る遊技機は、遊技媒体が流下可能な遊技領域が形成されると共に、遊技媒体の流下方向をランダムに変更可能な障害釘が複数打ち付けられた遊技盤と、遊技盤から起立して遊技領域を包囲する包囲壁と、包囲壁の左上部に形成されて、遊技領域内への遊技媒体の進入を許容する進入口と、包囲壁のうち進入口より上方部分で構成され、進入口から遊技領域内に進入した遊技媒体を右斜め上方に案内するための円弧状案内部と、遊技盤の所定の位置に前方側から視認可能に配置される遊技装置と、遊技盤から突出して、遊技領域を流下する遊技媒体が遊技装置の内側へ進入することを規制する進入規制枠と、進入規制枠の左上部に形成されて、円弧状案内部側から流下してきた遊技媒体を受け止めて下方に案内可能な流下案内壁と、流下案内壁から円弧状案内部側へ向かって張り出し且つ遊技盤の前面に敷設された樹脂製のベース板と、ベース板から突出し、遊技媒体と衝突してその遊技媒体の流下方向を変更可能な樹脂突部と、を備えて、遊技領域における円弧状案内部と流下案内壁とに挟まれたベース板のうち樹脂突部を除く部分に、障害釘を有さずに遊技媒体が流下可能な釘無し領域が形成され、流下案内壁に、縦方向に延びて進入口と対向する縦壁と、縦壁の下端から左側へ下るように延びた横壁と、を備えると共に、複数の樹脂突部として、進入口側から順に横並びに配置された第１突部と第２突部のみを備えて、第１突部と第２突部との間、第１突部と進入口との間、第２突部と縦壁、第１突部と横壁との間、第２突部と横壁との間に、遊技媒体が流下可能な突部間流路、第１流路、第２流路、第３流路、第４流路をそれぞれ形成し、第３流路の最小の間隔、及び、第４流路の最小の間隔を、それぞれ、遊技媒体２個分以上、３個分未満にしたところに特徴を有する。
【０００７】
請求項２の発明は、請求項１に記載の遊技機において、横壁の中間部には、縦壁に近い側が上方に配置されるように段差部が設けられ、第２突部は、横壁のうち段差部より縦壁側の上段部と対向して第４流路を形成し、第１突部は、横壁のうち段差部より縦壁から離れた側の下段部と対向して第３流路を形成するところに特徴を有する。
【０００８】
請求項３の発明は、請求項２に記載の遊技機において、段差部の高さを横壁の厚さ分として、上段部の下面と下段部の上面とを略面一にしたところに特徴を有する。
【０００９】
請求項４の発明は、請求項１乃至３のうち何れか１の請求項に記載の遊技機において、第１突部には、円弧状案内部に最も接近する第１頂部が設けられ、第１頂部と円弧状案内部との間の間隔を、遊技媒体１個分以上、２個分未満としたところに特徴を有する。
【００１０】
請求項５の発明は、請求項４に記載の遊技機において、第２突部には、円弧状案内部に最も接近すると共に、円弧状案内部との間の間隔が第１頂部と円弧状案内部との間の間隔より広くなった第２頂部と、第２頂部から縦壁へ近づくにつれて下るように傾斜して円弧状案内部との間隔を広くする拡張傾斜面と、が設けられたところに特徴を有する。
【００１１】
請求項６の発明は、請求項１乃至５のうち何れか１の請求項に記載の遊技機において、突部間流路には、下流側へ向かうにつれて流路幅が狭くなる突部間絞り部が設けられ、突部間絞り部の下流側端部の流路幅を遊技媒体１個分以上、２個分未満としたところに特徴を有する。
【００１２】
請求項７の発明は、請求項６に記載の遊技機において、突部間絞り部は、突部間流路のうち流下方向の中間位置より上流側に配置され、突部間流路のうち突部間絞り部より下流側の部分を、下流側へ向かうにつれて流路幅が広くなる突部間逃がし部としたところに特徴を有する。
【００１３】
請求項８の発明は、請求項７に記載の遊技機において、第１突部の第２突部との対向面を、下方へ向かうにつれて第２突部側へ近づくように傾斜した第１傾斜対向面で構成すると共に、第２突部の第１突部との対向面を、下方へ向かうにつれて第１突部側へ近づくように傾斜した第２上側傾斜対向面と、第２上側傾斜対向面の下端から下方へ向かうにつれて第１突部から離れるように傾斜した第２下側傾斜対向面とで構成し、第１傾斜対向面と第２上側傾斜対向面との間に挟まれた領域に突部間絞り部を形成すると共に、第１傾斜対向面と第２下側傾斜対向面との間に挟まれた領域に突部間逃がし部を形成したところに特徴を有する。
【００１４】
請求項９の発明は、請求項１乃至８のうち何れか１の請求項に記載の遊技機において、第２流路には、流下方向の下流側へ向かうにつれて流路幅が狭くなる第２絞り部が設けられ、第２絞り部の下流側端部の流路幅を、遊技媒体１個分より大きく、２個分未満としたところに特徴を有する。
【００１５】
請求項１０の発明は、請求項９に記載の遊技機において、第２絞り部は、第２流路のうち流下方向の中間位置より上流側に配置され、第２流路のうち第２絞り部より下流側の部分を、下流側へ向かうにつれて流路幅が広くなる第２逃がし部としたところに特徴を有する。
【００１６】
請求項１１の発明は、請求項１０に記載の遊技機において、第２突部の縦壁との対向面を、下方へ向かうにつれて縦壁へ近づくように傾斜した第２右上傾斜対向面と、第２右上傾斜対向面の下端に連絡し且つ下方へ向かうにつれて縦壁から離れるように傾斜した第２右下傾斜対向面とで構成し、第２右上傾斜対向面と縦壁との間に挟まれた領域に第２絞り部が形成されると共に、第２右下傾斜対向面と縦壁との間に挟まれた領域に第２逃がし部が形成されたところに特徴を有する。
【００１７】
請求項１２の発明は、請求項１乃至１１のうち何れか１の請求項に記載の遊技機において、遊技装置は、遊技領域の横方向の中間且つ上端寄り部分に配置されると共に、遊技領域に、包囲壁の左側部と進入規制枠とに挟まれた左側流下領域と、包囲壁の右側部と進入規制枠とに挟まれた右側流下領域と、が形成されて、円弧状案内部と流下案内壁とに挟まれたベース板を配置する媒体導入領域が左側流下領域の上部に配置され、進入規制枠の上部には、縦壁の上端部から右方に折れ曲がり、媒体導入領域と右側流下領域とを連絡する連絡流路を包囲壁との間に形成する連絡流路構成壁が設けられたところに特徴を有する。
【００１８】
請求項１３の発明は、請求項１２に記載の遊技機において、縦壁には、左下がりに傾斜するように延びて、下端部が横壁に連絡した第１傾斜部と、第１傾斜部の上端から左上がりに傾斜するように延びて、進入口から進入してきた遊技媒体を第１傾斜部側へ跳ね返し可能な第２傾斜部と、が設けられたところに特徴を有する。
【００１９】
請求項１４の発明は、請求項１乃至１３のうち何れか１の請求項に記載の遊技機において、第１突部及び第２突部は、ベース板に一体形成されているところに特徴を有する。
【００２０】
請求項１５の発明は、請求項１乃至１４のうち何れか１の請求項に記載の遊技機において、第１突部、第２突部及びベース板は、奥側を視認可能とする樹脂で構成されているところに特徴を有する。
【発明の効果】
【００２１】
［請求項１の発明］
請求項１の発明では、流下案内壁から円弧状案内部側へ向かって上方に張り出したベース板から第１突部と第２突部の２つの樹脂突部のみが突出した構成となっているので、従来のように、樹脂突部を３つ備えた構成よりも遊技装置を大きくすることが可能となる。また、第１突部と横壁との間の第３流路の最小の間隔、及び、第２突部と横壁との間の第４流路の最小の間隔が、遊技媒体２個分以上、３個分未満となっているので、第１突部と第２突部との間の突部間流路、又は、第２突部と縦壁との間の第２流路を流下してきた遊技媒体が横壁上を転動する際に、遊技媒体が詰まることが抑制可能となる。このように、本発明によれば、遊技装置を大きくしつつ遊技媒体の詰まりを抑制可能となる。
【００２２】
［請求項２の発明］
請求項２の発明によれば、第２流路を流下してきた遊技媒体が横壁に受け止められる位置、即ち、横壁への着地点を上方に配置することが可能となる。これにより、第２流路を流下してきた遊技媒体が横壁と衝突したときの遊技媒体の跳ね返りを抑えて、その遊技媒体を横壁に沿ってスムーズに流下させ、遊技媒体の詰まりを抑制することが可能となる。
【００２３】
［請求項３の発明］
請求項３の発明によれば、横壁の段差部を目立たなくすることが可能となる。
【００２４】
［請求項４の発明］
請求項４の発明によれば、進入口から遊技領域内へ進入する遊技媒体については、円弧状案内部に沿ったスムーズな進入を許容すると共に、進入口と対向する縦壁や第２突部に跳ね返された遊技媒体については、第１突部によって進入口へ逆流することを抑制可能となる。
【００２５】
［請求項５の発明］
請求項５の発明によれば、第２頂部と円弧状案内部との間の間隔が、第１頂部と円弧状案内部との間の間隔よりも広くなっているので、遊技領域内へ進入してきた遊技媒体を突部間流路にも第２流路にも流下させ易くして、遊技媒体がとり得る進路の自由度を向上させることが可能となる。また、第２突部には、第２頂部から縦壁へ近づくにつれて下るように傾斜して円弧状案内部との間隔を広くする拡張傾斜面が設けられているので、遊技媒体を縦壁と衝突させる場合に、その遊技媒体と縦壁との衝突箇所を変更することが可能となり、遊技の趣向性向上が図られる。
【００２６】
［請求項６の発明］
請求項６の発明によれば、突出部間流路を流下する遊技媒体の速度を突部間絞り部で低下させることが可能となる。しかも、突部間絞り部のうち最も幅狭となる部分の流路幅が、遊技媒体１個分以上、２個分未満となっているので、突部間絞り部を流下する遊技媒体が詰まることを抑制することが可能となる。
【００２７】
［請求項７の発明］
請求項７の発明によれば、突部間絞り部によって減速された遊技媒体をスムーズに下流側へと流下させることができる。
【００２８】
［請求項８の発明］
請求項８の発明では、第１突部の第２突部との対向面が、下方へ向かうにつれて第２突部側へ近づくように傾斜した第１傾斜対向面で構成されているので、進入口と反対側から第１突部に衝突した遊技媒体を突部間流路へ案内し易くすることが可能となる。また、第２突部の第２上側傾斜対向面と第２下側傾斜対向面の傾斜を変更するだけで、突部間絞り部と突部間逃がし部の各流路幅の変化の度合いを変更することが可能となる。
【００２９】
［請求項９の発明］
請求項９の発明によれば、第２流路を流下する遊技媒体の速度を第２絞り部で低下させることが可能となる。しかも、第２流路のうち最も幅狭となる部分の流路幅が、遊技媒体１個分より大きく、２個分未満となっているので、第２絞り部を流下する遊技媒体が詰まることを抑制することが可能となる。
【００３０】
［請求項１０の発明］
請求項１０の発明によれば、第２絞り部によって減速された遊技媒体をスムーズに下流側へと流下させることができる。
【００３１】
［請求項１１の発明］
請求項１１の発明によれば、第２突部の第２右上傾斜対向面と第２右下傾斜対向面の傾斜を変更するだけで、第２絞り部と第２逃がし部の各流路幅の変化の度合いを容易に変更することが可能となる。
【００３２】
［請求項１２の発明］
請求項１２の発明によれば、遊技媒体を少なくとも左側流下領域に安定して流下させることが可能となる。
【００３３】
［請求項１３の発明］
請求項１３の発明によれば、縦壁のうち左上がりに傾斜した第２傾斜部と衝突した遊技媒体を下方に落下させ易くなる。これにより、縦壁と衝突した遊技媒体が連絡流路を通って右側流下領域へと流下することが抑えられる。また、縦壁のうち横壁の連絡した第１傾斜部は、左下がりに傾斜しているので、第２傾斜部との衝突により下方に落下した遊技媒体を早く第１傾斜部に着地させることが可能となる。これにより、第２傾斜部により落下した遊技媒体の勢いを低減させ易くなり、第１傾斜部により横壁に案内された遊技媒体をスムーズに流下させることが可能となる。
【００３４】
［請求項１４の発明］
請求項１４の発明によれば、第１突部及び第２突部のベース板に対する位置ずれによって、第１突部と横壁との間や第２突部と横壁との間や突部間流路で遊技媒体が詰まることを抑制可能となる。
【００３５】
［請求項１５の発明］
請求項１５の発明によれば、前方側から見たときに、第１突部、第２突部及びベース板の奥側に配置された部分を視認させることが可能となる。
【図面の簡単な説明】
【００３６】
【図１】本発明の一実施形態に係る遊技機の正面図
【図２】遊技盤の正面図
【図３】遊技領域の左上部の拡大正面図
【図４】第１突部及び第２突部の正面図
【図５】第２突部及び縦壁の正面図
【図６】遊技球が球導入領域を流下する様子を示す図
【図７】横壁の段差部周辺の拡大正面図
【図８】縦壁の上部の拡大正面図
【図９】（Ａ）変形例に係る遊技領域の左上部の拡大正面図、（Ｂ）変形例に係る遊技領域の左上部の拡大正面図
【図１０】変形例に係る遊技領域の左上部の拡大正面図
【発明を実施するための形態】
【００３７】
以下、本発明をパチンコ遊技機に適用した一実施形態を図１〜図８に基づいて説明する。図１に示すように、本実施形態に係るパチンコ遊技機１０（以下、単に、「遊技機１０」という。）は、図２に示す遊技盤１１を、遊技機１０の前面に開閉可能に取り付けられた前面枠１０Ｚで覆ってなり、その前面枠１０Ｚに形成されたガラス窓１０Ｗを通して、遊技盤１１の前面に形成された遊技領域Ｒ１（図２参照）の全体が視認可能となっている。
【００３８】
前面枠１０Ｚのうちガラス窓１０Ｗより下方には、上皿２６と下皿２７が上下２段にして設けられ、下皿２７の右側には、操作ハンドル２８が備えられている。そして、操作ハンドル２８を回動操作すると、上皿２６に収容された遊技球（本発明の「遊技媒体」に相当する。）が遊技領域Ｒ１に向けて弾き出される。なお、上皿２６に備えた球排出ボタン２６Ｈを押すと上皿２６に収容されている遊技球が下皿２７へと移動する。
【００３９】
図２に示すように、遊技盤１１の前面からは、遊技領域Ｒ１を包囲するガイドレール１２（本発明の「包囲壁」に相当する。）が突出している。ガイドレール１２は、円弧状に湾曲した第１レール１２Ａ及び第２レール１２Ｂと、緩衝部材１２Ｃとで構成されている。第１レール１２Ａは、遊技領域Ｒ１の周縁部のうち上側の略１／４円周分を除いた部分に沿わせて配置されている。また、第２レール１２Ｂの一端部は、第１レール１２Ａの最下部に対して左側方に配置され、第２レール１２Ｂの他端部は、第１レール１２Ａの右側端部に対して遊技球１〜２個分上方にオフセットした位置に配置されている。第１レール１２Ａと第２レール１２Ｂとの右側端部同士の間は、例えば、樹脂製の緩衝部材１２Ｃによって閉塞されている。また、第１レール１２Ａの左側端部と第２レール１２Ｂの中間部との間には、遊技球１〜２個分の隙間が設けられ、これにより、ガイドレール１２の左上部に、遊技領域Ｒ１内に遊技球を進入させるための進入口１２Ｋが形成されている。そして、第２レール１２Ｂのうち進入口１２Ｋより上方部分によって、進入口１２Ｋから遊技領域Ｒ１内に進入した遊技球を右斜め上方に案内可能な円弧状案内部１２Ｅが形成されている。なお、本実施形態では、第１レール１２Ａの左側端部から進入口１２Ｋを塞ぐように逆流防止片１２Ｌが突出している。
【００４０】
遊技盤１１のうち遊技領域Ｒ１の中央には、表示開口１１Ｈが貫通形成されており、その表示開口１１Ｈに遊技盤１１の裏面側から表示装置３０（本発明の「遊技装置」に相当する。）が対向している。表示装置３０は、例えば、液晶モジュールで構成され、その前面が遊技に関する演出を行う表示画面３０Ｇとなっている。
【００４１】
遊技盤１１の前面中央には、表示画面３０Ｇを囲むように表示装飾枠２３が取り付けられている。表示装飾枠２３は、遊技盤１１の前面側から表示開口１１Ｈに嵌め込まれて、表示開口１１Ｈの内側に張り出すと共に、遊技盤１１の前面から突出している。そして、遊技領域Ｒ１を流下する遊技球が、表示装飾枠２３の前側を通過して表示装飾枠２３の内側に進入しないように構成されている。
【００４２】
詳細には、表示開口１１Ｈは、遊技領域Ｒ１の横方向の中間且つ上端寄り部分に配置され、遊技領域のうち表示装飾枠２３の左方と下方とに、遊技球が流下可能な左側流下領域Ｒ２と下側流下領域Ｒ３とが形成されている。また、表示装飾枠２３の上部には、ガイドレール１２（詳細には、第２レール１２Ｂ）に沿って円弧状に延びた上側円弧壁２５が備えられ、この上側円弧壁２５とガイドレール１２の上部との間に、遊技球が１つずつ通過可能な上側連絡流路２５Ｒが形成されている。さらに、表示装飾枠２３の右側部には、表示開口１１Ｈとガイドレール１２（詳細には、第１レール１２Ａ）の右側端部との間を隙間なく埋めると共に、上側連絡流路２５Ｒと下側流下領域Ｒ３との間を連絡する右側連絡流路２４Ｒが内側に形成された右側流路構成部２４が備えられている。なお、本実施形態では、上側円弧壁２５が本発明の「連絡流路構成壁」に相当し、上側連絡流路２５Ｒが本発明の「連絡流路」に相当する。また、本実施形態では、右側連絡流路２４Ｒが本発明の「右側流下領域」に相当し、表示装飾枠２３のうち左側流下領域Ｒ２、下側流下領域Ｒ３、上側連絡流路２５Ｒ及び右側連絡流路２４Ｒに囲まれた部分によって、本発明に係る「進入規制枠」が構成されている。
【００４３】
表示装飾枠２３の右下には、サイド入賞口２１と大入賞口１５が上下に並べて設けられている。また、大入賞口１５の右側には、始動ゲート１８と第２の始動入賞口１４Ｂとが上下に並べて設けられている。
【００４４】
表示装飾枠２３の横方向中央の下方には、第１の始動入賞口１４Ａが設けられ、第１の始動入賞口１４Ａの左側には、ガイドレール１２（詳細には、第１レール１２Ａ）に沿って一般入賞口２０が複数設けられている。
【００４５】
表示装飾枠２３の左側の下方には、風車１９が設けられ、遊技領域Ｒ１の左側流下領域Ｒ２を流下してきた遊技球の進路を中央側へ変更して下側流下領域Ｒ３へと案内可能になっている。
【００４６】
また、遊技領域Ｒ１の下端部には、遊技球を遊技領域Ｒ１の外側に排出するためのアウト口１６が設けられている。さらに、遊技領域Ｒ１には、遊技球の流下方向をランダムに変更するための障害釘１７が多数植設されている。
【００４７】
次に、遊技領域Ｒ１の各部位についてさらに詳説する。一般入賞口２０及びサイド入賞口２１は、所謂、ポケット構造をなし、遊技球が１つずつ入ることが可能な大きさで上方に開口している。一般入賞口２０又はサイド入賞口２１へ入球（入賞）すると、その遊技球は遊技盤１１の裏側に取り込まれ、例えば、１個の入球につき１０個の賞球が上皿２６に払い出される。
【００４８】
始動ゲート１８は、遊技球が潜って通過可能な門形構造をなしている。始動ゲート１８を遊技球が通過すると、普通図柄の当否判定が行われる。ここで、本実施形態の遊技機１０では、通常の遊技状態では、普通図柄の当否判定が当たりとなる確率は低く設定されており、後述する「大当たり遊技」後に、普通図柄の当否判定が当たりとなる確率が高くなる「時短遊技」に突入する。従って、本実施形態の遊技機１０では、通常の遊技状態においては、左側流下領域Ｒ２を流下するように遊技球を打ち出す、所謂、「左打ち」を行い、「時短遊技」中においては、右側連絡流路２４Ｒを流下するように遊技球を打ち出す、所謂、「右打ち」を行う、というように、２種類の打ち方を遊技者に提供可能に構成されている。なお、「時短遊技」は、「大当たり遊技」の終了後、第１と第２の始動入賞口１４Ａ，１４Ｂへの入賞回数が、例えば、１００回に達するか、或いは、その「時短遊技」中に「大当たり遊技」へ移行した場合に終了する。
【００４９】
第１の始動入賞口１４Ａは、一般入賞口２０やサイド入賞口２１と同様に、ポケット構造になっていて、遊技球が１つずつ入球可能な大きさで上方に開口している。第２の始動入賞口１４Ｂも、遊技球が１つずつ入球可能な大きさで上方に開口し、通常は、可動部材１４Ｃによって閉塞されている。可動部材１４Ｃは、例えば、前後方向にスライド可能となっていて、上述した普通図柄の当否判定が当りのときに、後側へスライドする。可動部材１４Ｃが後側に配置されると、第２の始動入賞口１４Ｂに遊技球が入球（入賞）可能となる。第１と第２の始動入賞口１４Ａ，１４Ｂに遊技球が入球（入賞）すると、例えば、１個の入球につき４個の賞球が上皿２６に払い出されると共に、特別図柄の当否判定が行われる。そして、特別図柄の当否判定が当りになると、通常の遊技状態から大当り遊技状態へと移行し、大当り遊技が実行される。
【００５０】
大入賞口１５は、横長矩形状をなし、通常の遊技状態では、可動扉１５Ｔにて閉塞されている。そして、遊技状態が大当たり遊技状態となって大当り遊技が実行されると、可動扉１５Ｔが所定期間に亘って前側に倒される。すると、大入賞口１５が前方に開放し、可動扉１５Ｔを案内にして大入賞口１５に多くの遊技球が入賞可能となる。
【００５１】
上述した各入賞口１４Ａ，１４Ｂ，１５，２０，２１の何れにも入賞しなかった遊技球は、アウト口１６に全て取り込まれる。アウト口１６は、遊技領域Ｒ１の下端部に配置されて、前方に開口している。アウト口１６に取り込まれた遊技球は、図示しない球回収装置に回収される。
【００５２】
ところで、本実施形態の遊技機１０では、図３に示すように、表示装飾枠２３の左上部に、ガイドレール１２の円弧状案内部１２Ｅ側から流下してきた遊技球を受け止めて下方に案内可能な流下案内壁３２が設けられ、この流下案内壁３２と円弧状案内部１２Ｅとに挟まれた部分に、球導入領域Ｒ４（本発明の「媒体導入領域」に相当する。）が形成されている。また、表示装飾枠２３には、流下案内壁３２から上方に張り出し且つ遊技盤１１の前面に敷設されたベース板４０が備えられ、このベース板４０から前方に樹脂突部４０Ｔが突出している。そして、球導入領域Ｒ４のうち樹脂突部４０Ｔを除く部分には、障害釘１７（図２参照）を有さずに遊技球が流下可能な釘無し領域Ｒ５が形成されている。
【００５３】
表示装飾枠２３は、樹脂製であって、ベース板４０及び樹脂突部４０Ｔは、流下案内壁３２と一体に形成されている。また、ベース板４０及び樹脂突部４０Ｔは、透明な樹脂で構成されていて、ベース板４０の後側が透けて見えるようになっている。
【００５４】
流下案内壁３２は、上下方向に延びて進入口１２Ｋに対向配置される縦壁３３と、縦壁３３の下端から左斜め下方に延びた横壁３４とで構成され、全体が略逆Ｌ字状をなしている。
【００５５】
縦壁３３は、上下方向の中間位置から左斜め下方に延びて横壁３４の右側端部に連絡する第１傾斜部３３Ａと、第１傾斜部３３Ａの上側端部から左斜め上方に延びて上側円弧壁２５に連絡する第２傾斜部３３Ｂとで構成されている。このように、本実施形態では、縦壁３３が、逆「くの字」状に屈曲した形状になっている。従って、進入口１２Ｋから進入してきた遊技球が縦壁３３の上側部分、即ち、第２傾斜部３３Ｂと衝突した場合、その遊技球の進路を下方へと変更することが可能となる。これにより、縦壁３３と衝突した遊技球が上側連絡流路２５Ｒを通って右側連絡流路２４Ｒへ流下することを抑制して、左側流下領域Ｒ２へ流下させることが可能となり、遊技者が左打ちを行うときに、遊技球が右側連絡流路２４Ｒへと流下してしまう（右打ちしてしまう）ことが抑制される。
【００５６】
ここで、上述したように、本実施形態の遊技機１０では、左側流下領域Ｒ２を狙って遊技球を発射させる左側遊技と、右側流下領域２４Ｒを狙って遊技球を流下させる右側遊技とを実行可能に構成されていて、遊技状態に合わせて左側遊技と右側遊技の何れかの遊技を実行させる。ここで、従来の遊技機では、操作ハンドル２８（図１参照）の多少の調整によって、左側遊技を行っている最中に、遊技球が右側流下領域２４Ｒへ流下する虞があったが、本実施形態の遊技機１０では、操作ハンドル２８の多少の調整では、遊技球は、第１流路６１を流下したり、第２突部５１や縦壁３３と衝突して進入口１２Ｋへ戻ることなく突部間流路６２や第２流路６３を流下するので、左側遊技の最中に、遊技球が右側流下領域２４Ｒへ流下する虞が低減される。特に、左側遊技と右側遊技の何れかの遊技の最中に他方の遊技を実行すると、遊技者に不利となる場合には、本実施形態の構成は効果的である。なお、本実施形態では、右側流下領域２４Ｒを流下した遊技球は、第２の始動入賞口１４Ｂや大入賞口１５へ入賞可能となっているが、そのままアウト口１６へ排出される盤面構成であってもよい。
【００５７】
なお、詳細には、図８に示すように、第２傾斜部３３Ｂは、遊技球を受け止め易くするために、上方へ向かうにつれて鉛直方向を向くように湾曲した形状になっていて、第２傾斜部３３Ｂの上端部における接線は、鉛直になっている。また、上側円弧壁２５は、第２傾斜部３３Ｂの上端部から右斜め上方へ延びていて、これにより、上側連絡流路２５Ｒ内で失速して球導入領域Ｒ４へと戻ってきた遊技球をスムーズに下方へと流下させることが可能となっている。
【００５８】
また、横壁３４の横方向の中間部には、縦壁３３に近い左側部分が縦壁３３から離れた右側部分より上方に配置されるように段差部３４Ｄが形成されている。図７に示すように、段差部３４Ｄの高さは、横壁３４の壁厚分となっていて、横壁３４のうち段差部３４Ｄより縦壁３３に近い上段部３５の下面３５Ｋと、段差部３４Ｄより縦壁３３から離れた下段部３６の上面３６Ｊとが略面一になっている。なお、図７では、上段部３５の下面３５Ｋの延長面Ｍ１が２点鎖線で示されている。
【００５９】
図３に示すように、本実施形態では、樹脂突部４０Ｔとして、第１突部４１と第２突部５１の２つのみが備えられている。具体的には、第１突部４１と第２突部５１とは、横壁３４に沿って進入口１２Ｋ側、即ち、左側から順に横並びに配置され、第１突部４１とガイドレール１２（詳細には、第１レール１２Ａ）の左側端部との間に第１流路６１が、第１突部４１と第２突部５１との間に突部間流路６２が、第２突部５１と縦壁３３との間に第２流路６３が、第１突部４１と横壁３４（詳細には、下段部３６）との間に第３流路６４が、第２突部５１と横壁３４（詳細には、上段部３５）との間に第４流路６５が、それぞれ形成されている。また、第１突部４１及び第２突部５１は、横壁３４との間に間隔をあけて配置され、第１突部４１と横壁３４との間の第３流路６４の最小の間隔Ｌ１、及び、第２突部５１と横壁３４との間の第４流路６５の最小の間隔Ｌ２がそれぞれ、遊技球２個分以上、３個分未満となっている。
【００６０】
図４に示すように、第１突部４１は、前方から見た形状が略三角形状になっていて、横壁３４と略平行な第１底部対向面４１Ｍと、第１底部対向面４１Ｍの左側端部から左斜め上方に延びた第１左側傾斜面４１Ｌと、第１左側傾斜面４１Ｌの上側端部と第１底部対向面４１Ｍの右側端部とを連絡する第１右側傾斜面４１Ｒとを備えている。そして、第１左側傾斜面４１Ｌと第１右側傾斜面４１Ｒとの境界部分である第１頂部４１Ｔがガイドレール１２の円弧状案内部１２Ｅに最も接近するように配置され、第１頂部４１Ｔと円弧状案内部１２Ｅとの間の間隔Ｌ３（図３参照）が、遊技球１個分以上、２個分未満となっている。これにより、進入口１２Ｋから遊技領域Ｒ１内に進入する遊技球については、円弧状案内部１２Ｅに沿ったスムーズな進入を許容すると共に、進入口１２Ｋと対向する縦壁３３や第２突部５１に跳ね返された遊技球については、第１突部４１によって進入口１２Ｋへ逆流することを抑制可能となる。なお、本実施形態では、第１底部対向面４１Ｍと横壁３４と間の最小の間隔Ｌ１（図３参照）が遊技球２個分以上、３個分未満となっていて、第１左側傾斜面４１Ｌとガイドレール１２（第１レール１２Ａ）との間に上述した第１流路６１が形成されている。
【００６１】
図４及び図５に示すように、第２突部５１は、前方から見た形状が略三角状をなし、円弧状案内部１２Ｅに最も接近するように配置された第２頂部５１Ｔと、横壁３４と略平行に延びて横壁３４と対向する第２底部対向面５１Ｍと、を備えている。第２頂部５１Ｔと円弧状案内部１２Ｅとの間の間隔Ｌ４は、第１突部４１の第１頂部４１Ｔと円弧状案内部１２Ｅとの間の間隔Ｌ３よりも大きくなっている（図３参照）。これにより、進入口１２Ｋから進入してきた遊技球を突部間流路６２にも第２流路６３にも流下させ易くして、遊技球がとり得る進路の自由度を向上させることが可能となる。また、第２突部５１に当たった遊技球が跳ね返る際に第１突部４１に接触するため、進入口１２Ｋに戻る虞を低減することが可能である。なお、本実施形態では、第２底部対向面５１Ｍと横壁３４と間の最小の間隔Ｌ２が遊技球２個分以上、３個分未満となっている。
【００６２】
図３に示すように、第２突部５１の上部には、拡張傾斜面５１Ｋが備えられている。拡張傾斜面５１Ｋは、右斜め下方に傾斜し、第２頂部５１Ｔから縦壁３３へ近づくにつれて円弧状案内部１２Ｅとの間隔を広くする。従って、遊技球を縦壁３３に衝突させる場合には、操作ハンドル２８（図１参照）の操作によって遊技球の発射強度（勢い）を調整することで、遊技球を縦壁３３に衝突させる箇所を自在に変更することが可能となり、遊技の趣向性を向上させることが可能となる。なお、拡張傾斜面５１Ｋは、縦壁３３の第１傾斜部３３Ａと略直交する方向に延びている。
【００６３】
図４に示すように、第２突部５１のうち第１突部４１と対向する面、即ち、左側を向く面は、第２頂部５１Ｔから左斜め下方に延びた第２左上傾斜面５１ＬＡと、第２左上傾斜面５１ＬＡの下端部から右斜め下方に延びて第２底部対向面５１Ｍの左側端部に連絡した第２左下傾斜面５１ＬＢとで構成されている。そして、第１突部４１の第１右側傾斜面４１Ｒと、第２突部５１の第２左上傾斜面５１ＬＡ及び第２左下傾斜面５１ＬＢとに挟まれた領域に、上述した突部間流路６２が形成されている。
【００６４】
詳細には、突部間流路６２は、第１右側傾斜面４１Ｒと第２左上傾斜面５１ＬＡとの間に形成される突部間絞り部６２Ａと、第１右側傾斜面４１Ｒと第２左下傾斜面５１ＬＢとの間に形成される突部間逃がし部６２Ｂとで構成され、右斜め下方に向かって延びている。ここで、第１右側傾斜面４１Ｒと第２左上傾斜面５１ＬＡとは、突部間流路６２の下流側へ向かうにつれて互いに接近するように配置されているので、突部間絞り部６２Ａは、下流側へ向かうにつれて流路幅が狭くなっている。そして、突部間絞り部６２Ａのうち最も幅狭となる下流側の端部の流路幅は、遊技球１個分以上、２個分未満となっている。また、第２左下傾斜面５１ＬＢは、突部間流路６２の下流側へ向かうにつれて第１右側傾斜面４１Ｒから離れるように配置されているので、突部間逃がし部６２Ｂは、下流側へ向かうにつれて流路幅が広くなっている。
【００６５】
図５に示すように、第２突部５１のうち右側を向く面、即ち、縦壁３３と対向する面は、拡張傾斜面５１Ｋの右側端部から右斜め下方に延びた第２右上傾斜面５１ＲＡと、第２右上傾斜面５１ＲＡの下端部から左斜め下方に延びて第２底部対向面５１Ｍの右側端部に連絡した第２右下傾斜面５１ＲＢとで構成されている。そして、第２突部５１の第２右上傾斜面５１ＲＡ及び第２右下傾斜面５１ＲＢと、縦壁３３とに挟まれた領域に、上述した第２流路６３が形成されている。
【００６６】
詳細には、第２流路６３は、縦壁３３の第１傾斜部３３Ａと第２右上傾斜面５１ＲＡとの間に形成される第２絞り部６３Ａと、第１傾斜部３３Ａと第２右下傾斜面５１ＲＢとの間に形成される第２逃がし部６３Ｂとで構成され、左斜め下方に向かって延びている。ここで、第１傾斜部３３Ａと第２右上傾斜面５１ＲＡとは、第２流路６３の下流側へ向かうにつれて互いに接近するように配置されているので、第２絞り部６３Ａは、下流側へ向かうにつれて流路幅が狭くなっている。そして、第２絞り部６３Ａのうち最も幅狭となる下流側の端部の流路幅は、遊技球１個分より大きく、２個分未満となっている。また、第２右下傾斜面５１ＲＢは、第２流路６３の下流側へ向かうにつれて第１傾斜部３３Ａから離れるように配置されているので、第２逃がし部６３Ｂは、下流側へ向かうにつれて流路幅が広くなっている。
【００６７】
図６には、突部間流路６２を流下する遊技球の様子が、２点鎖線で示されている。同図の例では、遊技領域Ｒ１に打ち込まれた遊技球は、まず、縦壁３３における第２傾斜部３３Ｂの上側部分と衝突して左側へと跳ね返され、突部間流路６２の突部間絞り部６２Ａに進入して第１右側傾斜面４１Ｒと衝突する。そして、遊技球は、第１突部４１の第１右側傾斜面４１Ｒと第２突部５１の第２左上傾斜面５１ＬＡとの間を往復しながら突部間絞り部６２Ａを流下する。ここで、突部間絞り部６２Ａは下流側へ向かうにつれて流路幅が狭くなっているので、突部間絞り６２Ａで遊技球を減速することが可能となる。また突部間絞り部６２Ａの下流側端部の流路幅は、遊技球１個分以上、２個分未満となっているので、突部間絞り部６２Ａを流下する遊技球が詰まることが抑制される。突部間絞り部６２Ａを流下してきた遊技球は、次いで、突部間逃がし部６２Ｂを流下する。突部間逃がし部６２Ｂは、下流側へ向かうにつれて流路幅が広くなっているので、突部間絞り部６２Ａで減速された遊技球がスムーズに下方へと流下する。
【００６８】
また、図６には、第２流路６３を流下する遊技球の様子が、１点鎖線で示されている。同図の例では、遊技領域Ｒ１に打ち込まれた遊技球は、まず、縦壁３３における第２傾斜部３３Ｂの下側部分と衝突して左斜め下方へと跳ね返され、第２流路６３の第２絞り部６３Ａに進入して第２右上傾斜面５１ＲＡと衝突する。そして、遊技球は、第２突部５１の第２右上傾斜面５１ＲＡと縦壁３３の第１傾斜部３３Ａとの間を往復しながら第２絞り部６３Ａを流下する。ここで、第２絞り部６３Ａは下流側へ向かうにつれて流路幅が狭くなっているので、第２絞り部６３Ａで遊技球を減速することが可能となる。また、第２絞り部６３Ａの下流側端部の流路幅は、遊技球１個分より大きく、２個分未満となっているので、第２絞り部６３Ａを流下する遊技球が詰まることが抑制される。第２絞り部６３Ａを流下してきた遊技球は、次いで、第２逃がし部６３Ｂを流下する。第２逃がし部６３Ｂは、下流側へ向かうにつれて流路幅が広くなっているので、第２絞り部６３Ａで減速された遊技球がスムーズに下方へと流下する。
【００６９】
このように、本実施形態では、突部間流路６２を流下する遊技球の流下速度を、突部間絞り部６２Ａによって減速させることが可能となる。しかも、突部間絞り部６２Ａのうち最も幅狭となる部分の流路幅が、遊技球１個分以上、２個分未満となっているので、突部間絞り部６２Ａを流下する遊技球が詰まることを抑制可能となる。また、本実施形態では、第２流路６３を流下する遊技球の流下速度を、第２絞り部６３Ａによって減速させることが可能となる。しかも、第２絞り部６３Ａのうち最も幅狭となる部分の流路幅が、遊技球１個分より大きく、２個分未満となっているので、第２絞り部６３Ａを流下する遊技球が詰まることを抑制可能となる。さらに、本実施形態では、突部間絞り部６２Ａによって減速された遊技球を突部間逃がし部６２Ｂでスムーズに流下させることが可能となると共に、第２絞り部６３Ａによって減速された遊技球を右側逃がし部６２Ｂでスムーズに流下させることが可能となる。
【００７０】
ところで、突部間流路６２及び第２流路６３を流下してきた遊技球は共に、横壁３４に沿って左下方へと案内される。従って、遊技領域Ｒ１内に打ち込まれた遊技球は横壁３４上で合流しやすく、横壁３４と第１突部４１との間、及び、横壁と第２突部５１との間で球詰まりが発生することが考えられる。ここで、本実施形態の遊技機１０では、第１突部４１と横壁３４との最小の間隔Ｌ１、及び、第２突部５１と横壁３４との最小の間隔Ｌ２がそれぞれ、遊技球２個分以上、３個分未満となっているので（図３参照）、横壁３４上に案内される遊技球の球詰まりを抑えることが可能となる。
【００７１】
なお、本実施形態では、遊技球が一定周期（約０．６秒）で発射されるようになっていて、遊技領域Ｒ１内に進入して間もない遊技球が流下する突部間絞り部６２Ａや第２絞り部６３Ａでは、遊技球が２個横並びに配置され難くなっている。これにより、突部間絞り部６２Ａの最小の流路幅及び第２絞り部６３Ａの最小の流路幅は、第１突部４１及び第２突部５１と横壁３４との間の第３流路６４及び第４流路６５の最小の間隔Ｌ１，Ｌ２よりも狭くすることが可能となり、球導入領域Ｒ４のコンパクト化が図られている。
【００７２】
本実施形態に係る遊技機１０の構成に関する説明は以上である。次に、遊技機１０の作用効果について説明する。
【００７３】
本実施形態の遊技機１０では、球導入領域Ｒ４において、流下案内壁３２から円弧状案内部１２Ｅ側へ向かって上方に張り出したベース板４０から第１突部４１と第２突部５１の２つの樹脂突部４０Ｔのみが突出した構成となっているので、従来のように、樹脂突部を３つ備えた構成よりも表示開口１１Ｈを大きくすることが可能となる。また、第１突部４１と横壁３４との間の最小の間隔Ｌ１、及び、第２突部５１と横壁３４との間の最小の間隔Ｌ２が、遊技球２個分以上、３個分未満となっているので、第１突部４１と第２突部５１との間の突部間流路６２、又は、第２突部５１と縦壁３３との間の第２流路６３を流下してきた遊技球が横壁３４上を転動する際の球詰まりを抑制可能となる。このように、本発明によれば、表示開口１１Ｈを大きくしつつ球詰まりを抑制可能となる。
【００７４】
また、横壁３４の中間部には、縦壁３３に近い側が上方に配置されるように段差部３４Ｄが形成されているので、第２流路６３を流下してきた遊技球が横壁３４に受け止められる位置、即ち、横壁３４への着地点を上方に配置することが可能となる。これにより、第２流路６３を流下してきた遊技球が横壁３４と衝突したときの遊技球の跳ね返りを抑えて、その遊技球を横壁３４に沿ってスムーズに流下させ、球詰まりを抑制することが可能となる。しかも、横壁３４における上段部３５の下面３５Ｋと下段部３６の上面３６Ｊとは略面一になっているので、段差部３４Ｄを目立たなくして表示装飾枠２３の外観の悪化を抑えることが可能となる。
【００７５】
さらに、第１突部４１及ぶ第２突部５１は、流下案内壁３２から張り出したベース板４０と一体に形成されているので、ベース板４０に対する第１突部４１及び第２突部５１の位置ずれが抑えられ、突部間流路６２、第２流路６３、第３流路６４、及び、第４流路６５で球詰まりが発生することが抑制される。
【００７６】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００７７】
（１）上記実施形態では、本発明をパチンコ遊技機に適用した例を示したが、アレンジボールやピンボール等に適用してもよい。
【００７８】
（２）上記実施形態では、本発明に係る「遊技媒体」が球形であったが、非球形であってもよい。具体的には、遊技媒体は、ラグビーボールのような形状であってもよいし、サッカーボールのような略球形の多面体であってもよい。
【００７９】
（３）図９（Ａ）に示すように、横壁３４に段差部３４Ｄを設けない構成としてもよい。
【００８０】
（４）図９（Ｂ）に示すように、横壁３４のうち縦壁３３に近い側の部分を肉厚にして段差部３４Ｄを設けてもよい。
【００８１】
（５）上記実施形態において、上側連絡流路２５Ｒ及び右側連絡流路２４Ｒを備えずに、縦壁３３を円弧状案内部１２Ｅまで延ばした構成としてもよい。なお、本構成において、縦壁３３を第１傾斜部３３Ａのみで構成してもよいし、第２傾斜部３３Ｂの代わりに、鉛直方向に延びた壁部を備えた構成としてもよい。
【００８２】
（６）第１突部４１及び第２突部５１は、円柱状であってもよいし、図１０に示すように、板状であってもよい。なお、図１０の例では、第１突部４１及び第２突部５１は共に、前方から見た形状が湾曲した形状になっているが、直線状であってもよい。
【００８３】
（７）上記実施形態では、第１突部４１及び第２突部５１は、ベース板４０に一体形成されていたが、ボルトや接着材等によってベース板４０に固定されてもよい。なお、上記実施形態の構成によれば、位置ずれを抑えて、球詰まりを抑えることが可能となる。
【００８４】
（８）上記実施形態では、ベース板４０、第１突部４１及び第２突部５１は、透明であったが、半透明であっても不透明であってもよい。
【００８５】
（９）上記実施形態では、突部間流路６２及び第２流路６３が、流路幅が狭くなる絞り部（突部間絞り部６２Ａと第２絞り部６３Ａ）と、流路幅が広くなる逃がし部（突部間突部６２Ｂと第２逃がし部６３Ｂ）とのみで構成されていたが、流路幅が変化しないストレート部をさらに備えた構成としてもよい。この場合において、ストレート部は、絞り部より上流側に配置されてもよいし、絞り部と逃がし部の間に配置されてもよいし、逃がし部より下流側に配置されてもよい。また、ストレート部は複数備えられてもよい。なお、上記実施形態の構成によれば、突部間流路６２及び第２流路６３の長さを短くして、球導入領域Ｒ４のコンパクト化を図ることが可能となる。
【００８６】
（１０）上記実施形態では、本発明の「遊技装置」が表示装置３０で構成された例を示したが、例えば、駆動役物装置や入賞装置等であってもよい。
【符号の説明】
【００８７】
１０    遊技機
１１    遊技盤
１２    ガイドレール（包囲壁）
１２Ｅ    円弧状案内部
１２Ｋ    進入口
１７    障害釘
２３    表示装飾枠（進入規制枠）
３０    表示装置（遊技装置）
３２    流下案内壁
３３    縦壁
３４    横壁
４０    ベース板
４１    第１突部
５１    第２突部
６４    第３流路
６５    第４流路
Ｒ１    遊技領域
Ｒ５    釘無し領域
【要約】
【課題】遊技装置を大きくしつつ遊技媒体の詰まりを抑制することが可能な遊技機の提供を目的とする。
【解決手段】本発明のパチンコ遊技機１０では、遊技盤１１を貫通して表示装置３０を視認可能にする表示開口１１Ｈと嵌合する表示装飾枠２３の左上部に、遊技領域Ｒ１に打ち込まれる遊技球を受け止めて下方に流下させる流下案内壁３２が形成され、その流下案内壁３２から上方に張り出して遊技盤１１の前面に敷設された樹脂製のベース板４０に第１突部４１と第２突部５１が一体形成されている。流下案内壁３２は、縦壁３３と横壁３４とで構成され、第１突部４１と横壁３４との最小の間隔Ｌ１、及び、第２突部５１と横壁３４との最小の間隔Ｌ２がそれぞれ、遊技球２〜３個分となっている。
【選択図】図３【図１】
0005927448.tif 000002
【図２】
0005927448.tif 000003
【図３】
0005927448.tif 000004
【図４】
0005927448.tif 000005
【図５】
0005927448.tif 000006
【図６】
0005927448.tif 000007
【図７】
0005927448.tif 000008
【図８】
0005927448.tif 000009
【図９】
0005927448.tif 000010
【図１０】
0005927448.tif 000011